【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
マルチメディアコンテンツアイテムのカタログからマルチメディアコンテンツアイテムの情報をユーザに提供する方法であって、
前記マルチメディアコンテンツアイテムに関連するメタデータ及び概念グラフを使用して、前記マルチメディアコンテンツアイテムの概念の系列を生成するステップと、
前記マルチメディアコンテンツアイテムのカタログからの他のマルチメディアコンテンツアイテム又は関係する概念へのリンク及び１つ以上の知識ベースから導かれた概念を有する拡張概念グラフを使用して、前記概念の系列から前記マルチメディアコンテンツアイテムの拡張された概念の系列を生成するステップと、
前記拡張された概念の系列をユーザに提供するステップと
を有する方法。
【請求項２】
前記マルチメディアコンテンツアイテムの前記概念の系列は、
前記マルチメディアコンテンツアイテムに関連する前記メタデータを前記概念グラフの頂点に合致させ、
前記概念グラフの頂点に関連する概念を前記マルチメディアコンテンツアイテムに関連する前記メタデータに関連付けることにより生成される、請求項１に記載の方法。
【請求項３】
所定の選択基準に基づいて、前記マルチメディアコンテンツアイテムに関連する前記メタデータに合致する前記概念グラフの前記頂点に関連する１つ以上の概念を選択するステップを更に有する、請求項２に記載の方法。
【請求項４】
前記マルチメディアコンテンツアイテムの前記拡張された概念の系列は、前記概念の系列の中で概念に接続された前記拡張概念グラフの頂点を検索し、前記拡張概念グラフの接続された頂点に関連する概念を前記概念の系列に関連付けることにより生成される、請求項１ないし３のうちいずれか１項に記載の方法。
【請求項５】
前記拡張概念グラフの前記接続された頂点に関連する前記概念をランク付けするステップと、
ランクに基づいて所定数の概念を選択するステップと
を更に有する、請求項４に記載の方法。
【請求項６】
前記拡張概念グラフの前記接続された頂点に結びつけられたマルチメディアコンテンツアイテムを前記概念の系列に関連付けるステップを更に有する、請求項４又は５に記載の方法。
【請求項７】
前記マルチメディアコンテンツアイテムに関連する前記メタデータは、前記マルチメディアコンテンツアイテムのスクリプト又はあらすじと、前記マルチメディアコンテンツアイテムの分析により得られるメタデータとを含む、請求項１ないし６のうちいずれか１項に記載の方法。
【請求項８】
前記マルチメディアコンテンツアイテムの分析は、音声からテキストへの分析又はサブタイトルの分析を含む、請求項７に記載の方法。
【請求項９】
前記概念グラフは、１つ以上の知識ベースを分析することにより取得される、請求項１ないし８のうちいずれか１項に記載の方法。
【請求項１０】
前記概念グラフの頂点は、前記１つ以上の知識ベースの概念から導かれる、請求項９に記載の方法。
【請求項１１】
前記概念グラフの辺は、前記１つ以上の知識ベースの概念の中のリンク又は相互参照から導かれる、請求項９又は１０に記載の方法。
【請求項１２】
前記拡張概念グラフは、マルチメディアコンテンツアイテムのカタログからの前記マルチメディアコンテンツアイテムの１つ以上を前記概念グラフの頂点に関連付けることにより取得される、請求項１ないし１１のうちいずれか１項に記載の方法。
【請求項１３】
前記マルチメディアコンテンツアイテムは、映画、TVシリーズ、電子ブック、オーディオブック及び音楽のうち１つである、請求項１ないし１２のうちいずれか１項に記載の方法。
【請求項１４】
マルチメディアコンテンツアイテムのカタログからマルチメディアコンテンツアイテムの情報をユーザに提供する装置であって、
前記マルチメディアコンテンツアイテムに関連するメタデータ及び概念グラフを使用して、前記マルチメディアコンテンツアイテムの概念の系列を生成し、前記マルチメディアコンテンツアイテムのカタログからの他のマルチメディアコンテンツアイテム又は関係する概念へのリンク及び１つ以上の知識ベースから導かれた概念を有する拡張概念グラフを使用して、前記概念の系列から前記マルチメディアコンテンツアイテムの拡張された概念の系列を生成するように構成されたプロセッサと、
前記拡張された概念の系列をユーザに提供するように構成された情報システムと
を有する装置。
【手続補正２】
【補正対象書類名】明細書
【補正対象項目名】００２９
【補正方法】変更
【補正の内容】
【００２９】
図８に概略的に示す第３の手順は、拡張概念グラフ26に基づいて、更なる要素（すなわち、関係する概念又は映画へのリンク）でそれぞれの概念の系列24を更に生成するために使用される。第１のステップ40において、接続された頂点を見つけるために、拡張概念グラフ26内で概念の系列24の広範囲な検索が実行される。次のステップにおいて、取得後の接続された頂点に関連する概念がランク付けされる41。ランクは、概念に関連する重みに従って行われることが好ましい。また、有利には、他の映画が概念に結びつけられるか否かが考慮される。このように、映画が結びつけられる概念に大きい重みを与えることが可能になる。後にユーザに提供される情報の量を制限するために、次に指定数nの概念及び結びつけられた映画のみが選択される42。どの概念を選択するかは、前のステップ41で割り当てられたランクに基づいて判定されることが好ましい。選択された概念及び結びつけられた映画は、拡張された概念の系列44を取得するために、概念の系列24に関連付けられる43。この拡張された概念の系列44は、図４の映画のストーリーの基礎を最終的に形成する。
前述の方法を実行するように適合された装置50は、図９に概略的に示されている。装置50は、１つ以上の外部の知識ベース52から概念を取得するインタフェース51を有する。或いは又は更に、概念は同様に内部のメモリ53から取得されてもよい。概念を分析し、概念グラフ20の必要な頂点及び辺を生成するためのプロセッサ54が提供される。複数のマルチメディアコンテンツアイテム10に基づいて、プロセッサ54は、概念グラフ20から拡張概念グラフ26を更に生成する。有利には、メモリ53は、完成した拡張概念グラフ26を格納するために使用される。装置50は、マルチメディアコンテンツアイテム10についての情報をユーザに提供する情報システム55を更に有する。必要な情報を生成するために、プロセッサ54は、拡張概念グラフ26と、概念の系列24とを取得し、拡張された概念の系列44を生成する。この拡張された概念の系列44は、要求された情報をユーザに表示するために使用される。当然に、プロセッサ54及び情報システム55は、同様に単一の処理ブロックに組み合わされてもよい。
以上の実施例に関し、更に、以下の項目を開示する。
（付記１）マルチメディアコンテンツアイテムのカタログからマルチメディアコンテンツアイテムの情報をユーザに提供する方法であって、
前記マルチメディアコンテンツアイテムに関連するメタデータ及び概念グラフを使用して、前記マルチメディアコンテンツアイテムの概念の系列を生成するステップと、
前記概念の系列と拡張概念グラフとを使用して、前記マルチメディアコンテンツアイテムの拡張された概念の系列を生成するステップと、
前記拡張された概念の系列をユーザに表示するステップと
を有する方法。
（付記２）前記マルチメディアコンテンツアイテムの前記概念の系列は、
前記マルチメディアコンテンツアイテムに関連する前記メタデータを前記概念グラフの頂点に合致させ、
前記概念グラフの頂点に関連する概念を前記マルチメディアコンテンツアイテムに関連する前記メタデータに関連付けることにより生成される、付記１に記載の方法。
（付記３）所定の選択基準に基づいて、前記マルチメディアコンテンツアイテムに関連する前記メタデータに合致する前記概念グラフの前記頂点に関連する１つ以上の概念を選択するステップを更に有する、付記２に記載の方法。
（付記４）前記マルチメディアコンテンツアイテムの前記拡張された概念の系列は、前記概念の系列の中で概念に接続された前記拡張概念グラフの頂点を検索し、前記拡張概念グラフの接続された頂点に関連する概念を前記概念の系列に関連付けることにより生成される、付記１ないし３のうちいずれか１項に記載の方法。
（付記５）前記拡張概念グラフの前記接続された頂点に関連する前記概念をランク付けするステップと、
ランクに基づいて所定数の概念を選択するステップと
を更に有する、付記４に記載の方法。
（付記６）前記拡張概念グラフの前記接続された頂点に結びつけられたマルチメディアコンテンツアイテムを前記概念の系列に関連付けるステップを更に有する、付記４又は５に記載の方法。
（付記７）前記マルチメディアコンテンツアイテムに関連する前記メタデータは、前記マルチメディアコンテンツアイテムのスクリプト又はあらすじと、前記マルチメディアコンテンツアイテムの分析により得られるメタデータとを含む、付記１ないし６のうちいずれか１項に記載の方法。
（付記８）前記マルチメディアコンテンツアイテムの分析は、音声からテキストへの分析又はサブタイトルの分析を含む、付記７に記載の方法。
（付記９）前記概念グラフは、１つ以上の知識ベースを分析することにより導かれる、付記１ないし８のうちいずれか１項に記載の方法。
（付記１０）前記概念グラフの頂点は、前記１つ以上の知識ベースの概念から導かれる、付記９に記載の方法。
（付記１１）前記概念グラフの辺は、前記１つ以上の知識ベースの概念の中のリンク又は相互参照から導かれる、付記９又は１０に記載の方法。
（付記１２）前記拡張概念グラフは、マルチメディアコンテンツアイテムのカタログからの前記マルチメディアコンテンツアイテムの１つ以上を前記概念グラフの頂点に関連付けることにより取得される、付記１ないし１１のうちいずれか１項に記載の方法。
（付記１３）前記マルチメディアコンテンツアイテムは、映画、TVシリーズ、電子ブック、オーディオブック及び音楽のうち１つである、付記１ないし１２のうちいずれか１項に記載の方法。
（付記１４）マルチメディアコンテンツアイテムのカタログからマルチメディアコンテンツアイテムの情報をユーザに提供する装置であって、
前記マルチメディアコンテンツアイテムの拡張された概念の系列を生成するために、付記１ないし１３のうちいずれか１項に記載の方法を実行するように適合された装置。